【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
外周に形成される、複数の肩部を具備する外周を有する第一の素材から形成される環状本体と、上記肩部のそれぞれ一つに各々貼り付けられた第一の複数の挿入物と、を具備する円形鋸刃において、
上記挿入物は、第二の素材から形成され、且つ上記挿入物は、お互いに実質的に反対方向を向く第一のサイド及び第二のサイドと、先導表面に沿って形成されるカッテイングエッジと、を具備しており、
上記カッテイングエッジは、上記第一のサイドから上記第二のサイドへ伸張しており、
各上記カッテイングエッジは第一のエッジ表面を具備しており、該第一のエッジ表面は、上記環状本体の回転軸に対し実質的に平行であり、上記カッテイングエッジの第一の端部へ伸張し、上記第一のサイドで終結しており、更に
各上記カッテイングエッジは第二の角度を付けられたエッジ表面を具備しており、
該第二の角度を付けられたエッジ表面は、上記環状本体の回転軸に対する平行線からオフセットして１０度から３０度の間の角度がつけられて、上記カッテイングエッジの第二の端部へ伸張し、上記第二のサイドで終結する、
ことを特徴とする円形鋸刃。
【請求項２】
上記複数の挿入物各々の上記カッテイングエッジは、上記第一のエッジ表面と、第２のサイドに比べて上記環状本体の一つのサイドに対してより接近している上記第二の角度を付けられたエッジ表面との間に連結部を具備しており、
上記複数の挿入物の隣接するもののその連結部が上記環状本体の交互のサイドに対して、より接近していることを特徴とする請求項1に記載の鋸刃。
【請求項３】
上記挿入物はカーバイドから形成されていることを特徴とする請求項1に記載の鋸刃。
【請求項４】
上記カーバイドの挿入物は、おおよそ、炭化チタン（ＴiＣ）8.6％、タンタル-ニオブ-カーバイド（ＴaＮｂＣ）12％、及びコバルト（Ｃo）9.5％を含むことを特徴とする請求項３に記載の鋸刃。
【請求項５】
上記挿入物の上記カッテイングエッジは、５度から１５度の間の背後角度を含むことを特徴とする請求項1に記載の鋸刃。
【請求項６】
上記背後角度はおおよそ１０度であることを特徴とする請求項５に記載の鋸刃。
【請求項７】
カッテイングエッジを有する先導表面を形成する本体部分と、第一及び第二のサイドと、基底部エッジと、を具備する鋸刃用挿入物において、
上記カッテイングエッジは、
上記本体部分の上記第一のサイドから垂直に伸張していて且つ上記本体部分の上記第一のサイドにおいて終結する、第一のエッジ表面と、
上記第一のエッジ表面と交差する第二の角度を付けられたエッジ表面と、により形成されており、
上記第二の角度を付けられたエッジ表面は、上記本体部分の上記第二のサイドから、上記第二のサイド対して１００度から１２０度の間の角度で伸張しており、
上記カッテイングエッジの上記第一のエッジ表面は、上記カッテイングエッジの大きな割合の部分に沿って伸張することを特徴とする鋸刃用挿入物。
【請求項８】
上記本体部分はカーバイドから作成されていることを特徴とする請求項７に記載の挿入物。
【請求項９】
上記本体部分は、おおよそ、炭化チタン（ＴiＣ）8.6％、タンタル-ニオブ-カーバイド（ＴaＮｂＣ）12％、及びコバルト（Ｃo）9.5％を含むことを特徴とする請求項８に記載の挿入物。
【請求項１０】
上記カッテイングエッジは、５度から１５度の間の背後角度を含むことを特徴とする請求項７に記載の挿入物。
【請求項１１】
上記背後角度はおおよそ１０度であることを特徴とする請求項１０に記載の挿入物。
【請求項１２】
上記第二の角度を付けられたエッジ表面は、上記第二のサイドからおおよそ１１０度で伸長することを特徴とする請求項７に記載の挿入物。
【請求項１３】
該円形鋸刃は、上記肩部のそれぞれ１つに各々貼り付けられた第二の複数の挿入物を更に具備しており、
上記第二の複数の挿入物は各々、お互いに対して実質的に反対方向を向く第一のサイド及び第二のサイドと、先導表面に沿って形成されるカッテイングエッジと、を具備しており、
上記カッテイングエッジは、上記第一のサイドから上記第二のサイドへ伸張しており、
各上記カッテイングエッジは第一のエッジ表面を具備しており、該第一のエッジ表面は、上記環状本体の回転軸に対し実質的に平行であり、上記カッテイングエッジの第二の端部へ伸張し、上記第一のサイドで終結しており、更に
各上記カッテイングエッジは第二の角度を付けられたエッジ表面を具備しており、該第二の角度を付けられたエッジ表面は、上記環状本体の回転軸に対する平行線からオフセットして１０度から３０度の間の角度がつけられて、上記カッテイングエッジの第二の端部へ伸張し、上記第一のサイドで終結しており、
上記環状本体は、第一のサイド及び第二のサイドを有しており、上記第一と第二の複数の挿入物各々の上記第一のサイドは、上記環状本体の上記第一のサイドに実質的に設置される、
ことを特徴とする請求項１に記載の円形鋸刃。
【請求項１４】
上記第一と第二の複数の挿入物は、前記環状本体の一つおきに設けられた肩部に設置されることを特徴とする請求項１３に記載の円形鋸刃。
【請求項１５】
上記第一のエッジ表面は、上記第二のエッジ表面に比べてより大きな軸方向の広がりを有することを特徴とする請求項１に記載の円形鋸刃。
【請求項１６】
上記第一のサイドの全体は、単一平面に実質的に配設されることを特徴とする請求項７に記載の挿入物。
【手続補正２】
【補正対象書類名】明細書
【補正対象項目名】０００６
【補正方法】変更
【補正の内容】
【０００６】
本発明は、詳細な説明及び付随する図面からより完全に理解されることでしょう。
図１〜３Ｂを参照して、円形の鋸刃１０が開示されている。円形の鋸刃１０は、２つのサイド１３A及び１３Ｂを有する本体１２を含んでいる（図1においては片側のみが示される）。鋸刃１０は、回転軸14に関して矢印Aの方向に回転するように設計されている。鋸の目１６は本体１２の周囲の周りに形成されている。図2において最もよく示されるように、目１６は溝２０によって各々分けられている肩部１８を各々含んでいる。挿入物２２，２２’は、それぞれの肩部１８に貼られている。溝２０は、先行する目１６の腰部２６が溝２０の円弧２４を越えて伸びているところの円弧２４によって形成されている開放空間である。円弧２４は挿入物２２の先導表面２８で終了する。挿入物２２，２２’の先導表面２８は一般的に円形鋸刃１０の半径に平行である。半径３０は円形鋸刃１０の中心で回転軸１４から伸びている。挿入物２２，２２’の末端部の半径方向エッジは図３Aでよく示されているように、カッテイングエッジ３２，３２’を含んでおり、それは挿入物２２のカッテイングエッジの上限端部を形成している。
【手続補正３】
【補正対象書類名】明細書
【補正対象項目名】０００８
【補正方法】変更
【補正の内容】
【０００８】
図３A及び３Ｂを参照すると、ただ一つの挿入物２２の詳細が示されている。挿入物２０の先導表面２８の上限カッテイングエッジがカッテイングエッジ３２を含んでいる。挿入物２０はさらに２つのサイド３４，３６と２つのサイド３４,３６の間に拡がっているベース３８を含んでいる。先導表面２８のカッテイングエッジは、約1.75mmの幅を有しており、サイド３４，３６が各々ベース端部３８でおおよそ0.09mm内側にテーパー（先細り）している。カッテイングエッジ３２は、挿入物２２のそれぞれのサイド３４，３６で終結する、２つのエッジ表面４０，４２によって形成されている。一番目のエッジ表面４０は、刃１０の回転軸１４に対して実質的に直角である。二番目の角度を付けられたエッジ表面４２は、角度を付けられた表面４２を形成している目の幅のおおよそ三分の一を横切っておおよそ１０〜３０°の角度“Ｘ”、好ましくはおおよそ２０°で削られている。一番目及び二番目のエッジ表面４０,４２は、図３Aで最もよくに示されているように、ライン４３に沿って連結している。挿入物２２’は、挿入物２２の先導表面２８と左右対称のイメージである先導表面２８を有しており、且つ、鋸刃１０の外周を囲んでいる一つ置きの目に配置されている。他の言い方をすると、挿入物２２，２２’のカッテイングエッジ３２、３２’の角度を付けられた二番目のエッジ表面４２は、それぞれ、円形鋸刃１０の外周に沿う刃の交互のサイド１３a、１３ｂに配置されている。
【手続補正４】
【補正対象書類名】明細書
【補正対象項目名】０００９
【補正方法】変更
【補正の内容】
【０００９】
円形鋸刃１０が回転軸に関して回転するので、各々の交互のカッテイングエッジ３２、３２’は、切削される溝路の異なるサイドから素材を切り取る。
【手続補正５】
【補正対象書類名】明細書
【補正対象項目名】００１１
【補正方法】変更
【補正の内容】
【００１１】
挿入物２２，２２’のカッテイングエッジ３２、３２’は、望ましくは、図２Ａ及び図２Ｂに描かれているように、５°〜１５°の、望ましくは１０°の背後角度（後方傾斜角度）“ｙ”を有している。挿入物２２，２２’の背後角度（後方傾斜角度）は、目16のカーブした上部の（または、外周の）表面４４に連結している。カーブした上方の表面４４は、溝の円弧２４に移行する丸くなった表面を提供している腰部２６で終わりとなる。望ましい実施形態によれば、腰部２６は、近接するカッテイングエッジ３２、３２’の先端の接線から、おおよそ0.5mmの距離ｄの間隔で離れている。
【手続補正６】
【補正対象書類名】明細書
【補正対象項目名】００１３
【補正方法】変更
【補正の内容】
【００１３】
【図１】本発明の原理に従う鋸の目のカーバイド挿入物を含む円形鋸刃の平面図。
【図２Ａ】鋸刃の目の詳細側面図。
【図２Ｂ】図２Ｂは、一つおきに設けられた鋸刃の目の詳細側面図である。
【図３Ａ】本発明の原理に従う一つだけの挿入物の前側詳細。
【図３Ｂ】本発明の原理に従う一つだけの挿入物の頂部平面図。
【手続補正７】
【補正対象書類名】図面
【補正対象項目名】全図
【補正方法】変更
【補正の内容】
【図１】
2005529762.tif 000001
【図２Ａ】
2005529762.tif 000002
【図２Ｂ】
2005529762.tif 000003
【図３Ａ】
2005529762.tif 000004
【図３Ｂ】
2005529762.tif 000005